(57)【特許請求の範囲】
【請求項１】
それぞれに厚さ方向と直交する導入方向にプレストレスが導入された、互いに平行な第１プレキャストコンクリート板及び第２プレキャストコンクリート板であって前記第２プレキャストコンクリート板の前記導入方向における一端部が前記第１プレキャストコンクリート板の前記導入方向における一端部の上にあって該一端部に接しており、前記第２プレキャストコンクリート板の前記導入方向における他端部が前記第１プレキャストコンクリート板の前記導入方向において前記第１プレキャストコンクリート板の前記一端部の外方に位置する、第１プレキャストコンクリート板及び第２プレキャストコンクリート板と、前記第１プレキャストコンクリート板の前記厚さ方向及び前記導入方向と直交する横断方向に間隔を置かれた複数のＬ字形鉄筋であってそれぞれが、前記第１プレキャストコンクリート板の前記一端部内に配置されかつ前記導入方向に伸びる横部分と、前記第１プレキャストコンクリート板の前記一端部から上方へ前記厚さ方向に伸びかつ前記第２プレキャストコンクリート板の前記一端部を貫通する縦部分とからなる、複数のＬ字形鉄筋と、前記第１プレキャストコンクリート板及び前記第２プレキャストコンクリート板上に打設されたコンクリートからなり、前記第１プレキャストコンクリート板上における厚さと前記第２プレキャストコンクリート板上における厚さとがほぼ等しいコンクリート層とを含む、段差付き床スラブ。
【請求項２】
前記コンクリート層に、各Ｌ字形鉄筋の前記縦部分に固定された定着体が配置されている、請求項１に記載の段差付き床スラブ。
【請求項３】
前記定着体は前記Ｌ字形鉄筋の前記縦部分に対して垂直な板材からなる、請求項２に記載の段差付き床スラブ。
【請求項４】
前記第２プレキャストコンクリート板は、該第２プレキャストコンクリート板の前記厚さ方向及び前記導入方向と直交する横断方向に間隔を置かれた、それぞれが前記厚さ方向に伸びる複数の貫通孔を前記一端部に有し、各貫通孔は前記Ｌ字形鉄筋の前記縦部分を受け入れている、請求項１に記載の段差付き床スラブ。
【請求項５】
前記第１プレキャストコンクリート板は、前記一端部の厚さが前記導入方向における中央部及び他端部の厚さより厚い、請求項１に記載の段差付き床スラブ。
【請求項６】
前記第１プレキャストコンクリート板に、前記横断方向に間隔を置かれ、それぞれが前記導入方向に伸びる、前記第１プレキャストコンクリート板に前記プレストレスを導入するための複数のＰＣ鋼材が配置されており、前記第１プレキャストコンクリート板の前記一端部において各Ｌ字形鉄筋の前記横部分は互いに隣接する２つのＰＣ鋼材間に位置する、請求項１に記載の段差付き床スラブ。
【請求項７】
前記第２プレキャストコンクリート板に、前記横断方向に間隔を置かれ、それぞれが前記導入方向に伸びる、前記第２プレキャストコンクリート板に前記プレストレスを導入するための複数のＰＣ鋼材が配置されており、前記第２プレキャストコンクリート板の前記一端部において各貫通孔は互いに隣接する２つのＰＣ鋼材間に位置する、請求項４に記載の段差付き床スラブ。
【請求項８】
厚さ方向と直交する導入方向にプレストレスが導入された第１プレキャストコンクリート板であって前記導入方向における一端部に、前記厚さ方向及び前記導入方向と直交する横断方向に間隔を置かれた複数のＬ字形鉄筋が設けられ、各Ｌ字形鉄筋が、前記一端部内に配置されかつ前記導入方向に伸びる横部分と、前記一端部から上方へ前記厚さ方向に突出する縦部分とからなる、第１プレキャストコンクリート板と、厚さ方向と直交する導入方向にプレストレスが導入された第２プレキャストコンクリート板であって前記導入方向における一端部に、前記厚さ方向及び前記導入方向と直交する横断方向に間隔を置かれた、それぞれが前記厚さ方向に伸びる複数の貫通孔を有し、前記Ｌ字形鉄筋の前記縦部分の前記第１プレキャストコンクリート板の前記一端部からの突出長さ寸法より小さい厚さ寸法を有する第２プレキャストコンクリート板とを用意すること、
前記第２プレキャストコンクリート板の各貫通孔が前記Ｌ字形鉄筋の前記縦部分を受け入れ、かつ前記第２プレキャストコンクリート板の前記一端部が前記第１プレキャストコンクリート板の前記一端部に接し、かつ前記第２プレキャストコンクリート板の前記他端部が前記第１プレキャストコンクリート板の前記導入方向において前記第１プレキャストコンクリート板の前記一端部の外方に位置するように、前記第２プレキャストコンクリート板を前記第１プレキャストコンクリート板に対して平行に配置すること、
前記第１プレキャストコンクリート板及び前記第２プレキャストコンクリート板上にコンクリートを打設して、前記第１プレキャストコンクリート板及び前記第２プレキャストコンクリート板上に、前記第１プレキャストコンクリート板上における厚さと前記第２プレキャストコンクリート板上における厚さとがほぼ等しいコンクリート層を形成することを含む、段差付き床スラブの施工法。
【発明の詳細な説明】
【技術分野】
【０００１】
本発明は、段差付き床スラブ及びその施工法に関する。
【背景技術】
【０００２】
建物の床スラブ上に、台所、洗面所、風呂場等の水回りのための配管を収容する空間を確保するため、床スラブとして、上面に段差が設けられた段差付き床スラブが用いられている。
【０００３】
従来、前記段差付き床スラブには、それぞれに厚さ方向と直交する導入方向にプレストレスが導入された、互いに平行な第１プレキャストコンクリート板及び第２プレキャストコンクリート板を有するものがある（特許文献１参照）。前記第２プレキャストコンクリート板の前記導入方向における一端部は前記第１プレキャストコンクリート板の前記導入方向における一端部から上方へ間隔を置いて配置され、前記第２プレキャストコンクリート板の前記導入方向における他端部は前記第１プレキャストコンクリート板の前記導入方向において前記第１プレキャストコンクリート板の前記一端部の外方に位置する。
【特許文献１】特開２００７−１０７２１６号公報
【０００４】
前記段差付き床スラブは、前記第１プレキャストコンクリート板及び前記第２プレキャストコンクリート板上に打設されたコンクリートからなるコンクリート層を有する。前記コンクリート層は、前記第１プレキャストコンクリート板上における厚さと前記第２プレキャストコンクリート板上における厚さとがほぼ等しく、前記第１プレキャストコンクリート板上に位置する部分の上面と前記第２プレキャストコンクリート板上に位置する部分の上面との間に段差がある。前記第１プレキャストコンクリート板上に位置する部分の上に前記水回りのための配管が配置される。
【発明の開示】
【発明が解決しようとする課題】
【０００５】
ところで、前記第１プレキャストコンクリート板と前記第２プレキャストコンクリート板とは前記コンクリート層を介して結合されており、前記段差付き床スラブが自重、載荷重等の荷重を受けたとき、前記段差が存在する段差部分において前記コンクリート層は前記第１プレキャストコンクリート板及び前記第２プレキャストコンクリート板と共に前記荷重に抵抗する。このため、前記段差部分において前記コンクリート層にもこれを補強する多数の鉄筋が配置される。このため、前記鉄筋の前記コンクリート層への配置に多くの手間と時間とを要する。
【０００６】
本発明の目的は、段差付き床スラブの段差部分においてコンクリート層の強度を損ねることなく該コンクリート層に配置される鉄筋の数を減らすことを可能にし、該鉄筋の前記コンクリート層への配置に多くの手間や時間を要することなく前記段差付き床スラブを効率的に施工できるようにすることである。
【課題を解決するための手段】
【０００７】
本発明は、段差付き床スラブが、第１プレキャストコンクリート板の一端部内に配置された横部分と、前記第１プレキャストコンクリート板の前記一端部から上方へ伸びかつ第２プレキャストコンクリート板の一端部を貫通する縦部分とからなるＬ字形鉄筋を含み、該Ｌ字形鉄筋により前記第１プレキャストコンクリート板と前記第２プレキャストコンクリート板とを結合し、これらを一体化させる。これにより、前記段差付き床スラブの段差部分において前記第１プレキャストコンクリート板及び前記第２プレキャストコンクリート板が荷重に対して十分に抵抗できるようにする。これにより、コンクリート層に配置される鉄筋の数の低減を可能にし、該鉄筋の前記コンクリート層への配置に多くの手間や時間を要することなく前記段差付き床スラブを効率的に施工できるようにする。
【０００８】
本発明に係る段差付き床スラブは、それぞれに厚さ方向と直交する導入方向にプレストレスが導入された、互いに平行な第１プレキャストコンクリート板及び第２プレキャストコンクリート板であって前記第２プレキャストコンクリート板の前記導入方向における一端部が前記第１プレキャストコンクリート板の前記導入方向における一端部の上にあって該一端部に接しており、前記第２プレキャストコンクリート板の前記導入方向における他端部が前記第１プレキャストコンクリート板の前記導入方向において前記第１プレキャストコンクリート板の前記一端部の外方に位置する、第１プレキャストコンクリート板及び第２プレキャストコンクリート板と、前記第１プレキャストコンクリート板の前記厚さ方向及び前記導入方向と直交する横断方向に間隔を置かれた複数のＬ字形鉄筋であってそれぞれが、前記第１プレキャストコンクリート板の前記一端部内に配置されかつ前記導入方向に伸びる横部分と、前記第１プレキャストコンクリート板の前記一端部から上方へ前記厚さ方向に伸びかつ前記第２プレキャストコンクリート板の前記一端部を貫通する縦部分とからなる、複数のＬ字形鉄筋と、前記第１プレキャストコンクリート板及び前記第２プレキャストコンクリート板上に打設されたコンクリートからなり、前記第１プレキャストコンクリート板上における厚さと前記第２プレキャストコンクリート板上における厚さとがほぼ等しいコンクリート層とを含む。
【０００９】
前記第２プレキャストコンクリート板の前記一端部を貫通する前記Ｌ字形鉄筋の前記縦部分は、前記第２プレキャストコンクリート板の前記一端部の上方において前記コンクリートに付着して前記コンクリート層に固定されている。前記Ｌ字形鉄筋の前記横部分が前記第１プレキャストコンクリート板の前記一端部内に配置され、前記Ｌ字形鉄筋の前記縦部分が前記第２プレキャストコンクリート板の前記一端部を貫通し、かつ該一端部の上方において前記コンクリート層に固定されていることから、前記Ｌ字形鉄筋により前記第１プレキャストコンクリート板と前記第２プレキャストコンクリート板とを結合することができる。これにより、前記第１プレキャストコンクリート板と前記第２プレキャストコンクリート板とを一体化させることができる。
【００１０】
前記段差付き床スラブは、前記コンクリート層に、各Ｌ字形鉄筋の前記縦部分に固定された定着体が配置されているものとすることができ、前記定着体は前記Ｌ字形鉄筋の前記縦部分に対して垂直な板材からなるものとすることができる。前記定着体は前記Ｌ字形鉄筋の前記縦部分の前記コンクリート層への固定をより強固にする。
【００１１】
前記第２プレキャストコンクリート板は、該第２プレキャストコンクリート板の前記厚さ方向及び前記導入方向と直交する横断方向に間隔を置かれた、それぞれが前記厚さ方向に伸びる複数の貫通孔を前記一端部に有し、各貫通孔は前記Ｌ字形鉄筋の前記縦部分を受け入れている。
【００１２】
前記第１プレキャストコンクリート板は、前記一端部の厚さが前記導入方向における中央部及び他端部の厚さより厚いものとすることができる。
【００１３】
前記段差付き床スラブは、前記第１プレキャストコンクリート板に、前記横断方向に間隔を置かれ、それぞれが前記導入方向に伸びる、前記第１プレキャストコンクリート板に前記プレストレスを導入するための複数のＰＣ鋼材が配置されている。前記第１プレキャストコンクリート板の前記一端部において各Ｌ字形鉄筋の前記横部分は、互いに隣接する２つのＰＣ鋼材間に位置する。
【００１４】
前記段差付き床スラブは、前記第２プレキャストコンクリート板に、前記横断方向に間隔を置かれ、それぞれが前記導入方向に伸びる、前記第２プレキャストコンクリート板に前記プレストレスを導入するための複数のＰＣ鋼材が配置されている。前記第２プレキャストコンクリート板の前記一端部において各貫通孔は、互いに隣接する２つのＰＣ鋼材間に位置する。
【００１５】
本発明に係る段差付き床スラブの施工法は、厚さ方向と直交する導入方向にプレストレスが導入された第１プレキャストコンクリート板であって前記導入方向における一端部に、前記厚さ方向及び前記導入方向と直交する横断方向に間隔を置かれた複数のＬ字形鉄筋が設けられ、各Ｌ字形鉄筋が、前記一端部内に配置されかつ前記導入方向に伸びる横部分と、前記一端部から上方へ前記厚さ方向に突出する縦部分とからなる、第１プレキャストコンクリート板と、厚さ方向と直交する導入方向にプレストレスが導入された第２プレキャストコンクリート板であって前記導入方向における一端部に、前記厚さ方向及び前記導入方向と直交する横断方向に間隔を置かれた、それぞれが前記厚さ方向に伸びる複数の貫通孔を有し、前記Ｌ字形鉄筋の前記縦部分の前記第１プレキャストコンクリート板の前記一端部からの突出長さ寸法より小さい厚さ寸法を有する第２プレキャストコンクリート板とを用意すること、前記第２プレキャストコンクリート板の各貫通孔が前記Ｌ字形鉄筋の前記縦部分を受け入れ、かつ前記第２プレキャストコンクリート板の前記一端部が前記第１プレキャストコンクリート板の前記一端部に接し、かつ前記第２プレキャストコンクリート板の前記他端部が前記第１プレキャストコンクリート板の前記導入方向において前記第１プレキャストコンクリート板の前記一端部の外方に位置するように、前記第２プレキャストコンクリート板を前記第１プレキャストコンクリート板に対して平行に配置すること、前記第１プレキャストコンクリート板及び前記第２プレキャストコンクリート板上にコンクリートを打設して、前記第１プレキャストコンクリート板及び前記第２プレキャストコンクリート板上に、前記第１プレキャストコンクリート板上における厚さと前記第２プレキャストコンクリート板上における厚さとがほぼ等しいコンクリート層を形成することを含む。
【発明の効果】
【００１６】
本発明によれば、段差付き床スラブが、第１プレキャストコンクリート板の一端部内に配置された横部分と、前記第１プレキャストコンクリート板の前記一端部から上方へ伸びかつ第２プレキャストコンクリート板の一端部を貫通する縦部分とからなるＬ字形鉄筋を有することから、該Ｌ字形鉄筋により前記第１プレキャストコンクリート板と前記第２プレキャストコンクリート板とを結合し、これらを一体化させることができる。このため、前記段差付き床スラブの段差部分において前記第１プレキャストコンクリート板及び前記第２プレキャストコンクリート板が荷重に対して十分に抵抗することができる。このため、前記段差部分においてコンクリート層に配置される鉄筋の数を減らすことができ、該鉄筋の前記コンクリート層への配置に多くの手間や時間を要することなく前記段差付き床スラブを効率的に施工することができる。
【発明を実施するための最良の形態】
【００１７】
図１に示すように、建物の床スラブとして段差付き床スラブ１０が用いられている。段差付き床スラブ１０は、互いに平行な第１プレキャストコンクリート板１２及び第２プレキャストコンクリート板１４を含み、第１プレキャストコンクリート板１２及び第２プレキャストコンクリート板１４のそれぞれに、厚さ方向（図面上下方向）と直交する導入方向（図面左右方向）にプレストレスが導入されている。第２プレキャストコンクリート板１４の厚さ寸法は第１プレキャストコンクリート板１２の厚さ寸法と等しい。
【００１８】
第２プレキャストコンクリート板１４の前記導入方向における一端部１６は、第１プレキャストコンクリート板１２の前記導入方向における一端部１８の上に位置し、第１プレキャストコンクリート板１２の一端部１８に接している。第２プレキャストコンクリート板１４の前記導入方向における他端部（図示せず）は第１プレキャストコンクリート板１２の前記導入方向において第１プレキャストコンクリート板１２の一端部１８の外方（図面左方）に位置する。
【００１９】
第１プレキャストコンクリート板１２及び第２プレキャストコンクリート板１４は、水平方向に間隔を置かれた一対の梁（図示せず）間に配置されている。第１プレキャストコンクリート板１２の前記導入方向における他端部（図示せず）は一方の梁に接合され、第２プレキャストコンクリート板１４の前記他端部は他方の梁に接合されている。
【００２０】
段差付き床スラブ１０は、第１プレキャストコンクリート板１２の前記厚さ方向及び前記導入方向と直交する横断方向（図面奥行き方向）に間隔を置かれた複数のＬ字形鉄筋２０を含む。各Ｌ字形鉄筋２０は、第１プレキャストコンクリート板１２の一端部１８内に配置されかつ前記導入方向に伸びる横部分２２と、第１プレキャストコンクリート板１２の一端部１８から上方へ前記厚さ方向に伸びかつ第２プレキャストコンクリート板１４の一端部１６を貫通する縦部分２４とからなる。
【００２１】
第２プレキャストコンクリート板１４は、該第２プレキャストコンクリート板の前記厚さ方向及び前記導入方向と直交する横断方向（図面奥行き方向）に間隔を置かれた複数の貫通孔２６を一端部１６に有する。各貫通孔２６は、第２プレキャストコンクリート板の前記厚さ方向に伸び、Ｌ字形鉄筋２０の縦部分２４を受け入れている。
【００２２】
段差付き床スラブ１０は、第１プレキャストコンクリート板１２及び第２プレキャストコンクリート板１４上に打設されたコンクリートからなるコンクリート層２８を含む。Ｌ字形鉄筋２０の縦部分２４は、第２プレキャストコンクリート板１４の一端部１６の上方において、前記コンクリートに付着しており、コンクリート層２８に固定されている。
【００２３】
コンクリート層２８は、第１プレキャストコンクリート板１２上に位置する第１コンクリート層部分３０と、第２プレキャストコンクリート板１４上に位置する第２コンクリート層部分３２とからなり、第１コンクリート層部分３０の厚さと第２コンクリート層部分３２の厚さとはほぼ等しく、第２コンクリート層部分３２の上面３４と第１コンクリート層部分３０の上面３６との間に段差３８がある。第１コンクリート層部分３０の上面３６は第２コンクリート層部分３２の上面３４の下方に位置し、第１コンクリート層部分３０上に、台所、洗面所、風呂場等の水回りのための配管（図示せず）が配置される。
【００２４】
コンクリート層２８の第２コンクリート層部分３２の上面３４と第１コンクリート層部分３０の上面３６との間の段差寸法３８は、例えば８０ｍｍないし１５０ｍｍであり、第２プレキャストコンクリート板１４の厚さ寸法及び第１プレキャストコンクリート板１２の厚さ寸法とほぼ等しい。
【００２５】
ところで、従来の段差付き床スラブでは、第２プレキャストコンクリート板の一端部が第１プレキャストコンクリート板の一端部から間隔を置かれており、コンクリート層の第１コンクリート層部分の上面と第２コンクリート層部分の上面との間の段差寸法は、前記第１プレキャストコンクリート板の前記一端部と前記第２プレキャストコンクリート板の前記一端部との間の間隔に、第２プレキャストコンクリート板の厚さ寸法を加えた長さとほぼ等しい。これに対して、段差付き床スラブ１０では、第２プレキャストコンクリート板１４の一端部１６が第１プレキャストコンクリート板１２の一端部１８に接しており、段差寸法３８は第２プレキャストコンクリート板１４の厚さ寸法とほぼ等しい。このため、段差付き床スラブ１０の段差寸法３８は従来の段差付き床スラブにおける段差寸法に比べて小さい。段差付き床スラブの段差寸法は前記水回りのための配管の断面の大きさに応じて設定されるが、段差付き床スラブ１０は、前記配管の断面の大きさが比較的小さく、設定された段差寸法が比較的小さい場合に適している。
【００２６】
コンクリート層２８に、各Ｌ字形鉄筋２０の縦部分２４に固定された定着体４０が配置されている。定着体４０はＬ字形鉄筋２０の縦部分２４に対して垂直な板材４２からなる。板材４２は、該板材を厚さ方向に貫く孔４４を中央部に有し、該孔はＬ字形鉄筋２０の縦部分２４を受け入れている。Ｌ字形鉄筋２０の縦部分２４にねじ溝（図示せず）が形成されており、板材４２の上方に、Ｌ字形鉄筋２０の縦部分２４に螺合されたナット４６が配置され、板材４２はナット４６に溶接により接合されている。定着体４０はＬ字形鉄筋２０の縦部分２４のコンクリート層２８への固定をより強固にする。
【００２７】
定着体４０は、板材４２からなる図示の例に代え、Ｌ字形鉄筋２０の縦部分２４の先端部を熱で溶かすことにより該先端部に形成されたコブ状体（図示せず）であってもよい。また、コンクリート層２８に定着体４０が配置されている図示の例に代え、コンクリート層２８に定着体４０が配置されていなくてもよい。この場合、Ｌ字形鉄筋２０の縦部分２４は、該縦部分の前記コンクリートへの付着のみによってコンクリート層２８に固定されている。
【００２８】
第１プレキャストコンクリート板１２に、前記横断方向に間隔を置かれた複数のＰＣ鋼材４８が配置され、各ＰＣ鋼材４８は前記導入方向に伸びる。各ＰＣ鋼材４８にプレテンション方式により張力が加えられており、第１プレキャストコンクリート板１２はＰＣ鋼材４８により前記プレストレスが導入されている。
【００２９】
第２プレキャストコンクリート板１４に、前記横断方向に間隔を置かれた複数のＰＣ鋼材５０が配置され、各ＰＣ鋼材５０は前記導入方向に伸びる。各ＰＣ鋼材５０にプレテンション方式により張力が加えられており、第２プレキャストコンクリート板１４はＰＣ鋼材５０により前記プレストレスが導入されている。各ＰＣ鋼材５０は、第２プレキャストコンクリート板１４内に位置する本体部分５２と、第２プレキャストコンクリート板１４の一端部１６から前記導入方向における外方へ突出する突出部分５４とからなる。ＰＣ鋼材５０の突出部分５４は、コンクリート層２８の前記コンクリートに付着しており、コンクリート層２８を補強する。ＰＣ鋼材５０の突出部分５４の長さはＰＣ鋼材５０の直径の約４０倍の長さである。
【００３０】
コンクリート層２８に、第２プレキャストコンクリート板１４の一端部１６上から第１プレキャストコンクリート板１２上へ伸びる補強鉄筋５６と、第２プレキャストコンクリート板１４上にあって補強鉄筋５６から上方へ間隔を置かれた上端筋５８と、第１プレキャストコンクリート板１２上にあって補強鉄筋５６から上方へ間隔を置かれた上端筋６０とが配置されている。補強鉄筋５６は、第２プレキャストコンクリート板１４の一端部１６上に位置する第１水平部分６２と、
第１プレキャストコンクリート板１２上に位置し、第１水平部分６２に隣接する傾斜部分６４であって第１プレキャストコンクリート板１２から補強鉄筋５６の軸線までの高さが第２プレキャストコンクリート板１４の一端部１６から外方に向けて漸減する傾斜部分６４と、第１プレキャストコンクリート板１２上に位置し、傾斜部分６４に隣接する第２水平部分６６とからなる。
【００３１】
図２に示すように、第１プレキャストコンクリート板１２の一端部１８において各Ｌ字形鉄筋２０の横部分２２は、互いに隣接する２つのＰＣ鋼材４８間に位置する。第２プレキャストコンクリート板１４の一端部１６において各貫通孔２６は、互いに隣接する２つのＰＣ鋼材５０間に位置する。各貫通孔２６の平面形状は、図２に示した例では矩形であるが、これに代え、他の多角形、円形、楕円形等でもよい。
【００３２】
段差付き床スラブ１０は、Ｌ字形鉄筋２０とこれに隣接するＰＣ鋼材４８との間に少なくとも１つの他のＬ字形鉄筋（図示せず）があってもよい。前記他のＬ字形鉄筋は、Ｌ字形鉄筋２０と同様に、第１プレキャストコンクリート板１２の一端部１８内に配置されかつ前記導入方向に伸びる横部分と、第１プレキャストコンクリート板１２の一端部１８から上方へ前記厚さ方向に伸びかつ第２プレキャストコンクリート板１４の一端部１６を貫通する縦部分とからなる。この場合、各貫通孔２６の平面形状が前記横断方向に細長く、Ｌ字形鉄筋２０の縦部分２４及び前記他のＬ字形鉄筋の前記縦部分が１つの貫通孔２６に受け入れられていてもよいし、第２プレキャストコンクリート板１４が、貫通孔２６とこれに隣接するＰＣ鋼材５０との間に少なくとも１つの他の貫通孔（図示せず）を有し、前記他のＬ字形鉄筋の前記縦部分が前記他の貫通孔に受け入れられていてもよい。
【００３３】
段差付き床スラブ１０を施工するとき、まず、それぞれに厚さ方向と直交する導入方向にプレストレスが導入された第１プレキャストコンクリート板１２及び第２プレキャストコンクリート板１４を用意する。第１プレキャストコンクリート板１２は、その一端部１８に、前記横断方向に間隔を置かれた複数のＬ字形鉄筋２０が予め設けられており、各Ｌ字形鉄筋２０は、第１プレキャストコンクリート板１２の一端部１８内に配置されかつ前記導入方向に伸びる横部分２０と、第１プレキャストコンクリート板１２の一端部１８から上方へ前記厚さ方向に突出する縦部分２４とからなる。第２プレキャストコンクリート板１４は、その一端部１６に、前記横断方向に間隔を置かれた複数の貫通孔２６を有し、第２プレキャストコンクリート板１４の厚さ寸法はＬ字形鉄筋２０の縦部分２４の第１プレキャストコンクリート板１２の一端部１８からの突出長さ寸法より小さい。
【００３４】
次に、第２プレキャストコンクリート板１４を第１プレキャストコンクリート板１２に対して平行に配置する。このとき、第２プレキャストコンクリート板１４の各貫通孔２６がＬ字形鉄筋２０の縦部分２４を受け入れ、かつ第２プレキャストコンクリート板１４の一端部１６が第１プレキャストコンクリート板１２の一端部１８に接し、かつ第２プレキャストコンクリート板１４の前記他端部が第１プレキャストコンクリート板１２の前記導入方向において第１プレキャストコンクリート板１２の一端部１８の外方に位置するようにする。その後、第１プレキャストコンクリート板１２及び第２プレキャストコンクリート板１４上にコンクリートを打設して、第１プレキャストコンクリート板１２及び第２プレキャストコンクリート板１４上に、第１プレキャストコンクリート板１２上における厚さと第２プレキャストコンクリート板１４上における厚さとがほぼ等しいコンクリート層２８を形成する。
【００３５】
第２プレキャストコンクリート板１４を第１プレキャストコンクリート板１２に対して平行に配置することに先立ち、第１プレキャストコンクリート板１２の一端部１８の上面を目荒しし、該上面に接着剤を塗布してもよい。前記接着剤は第１プレキャストコンクリート板１２の一端部１８と第２プレキャストコンクリート板１４の一端部１６とを互いに結合する。
【００３６】
ところで、従来の段差付き床スラブでは、第２プレキャストコンクリート板を第１プレキャストコンクリート板に対して平行に配置するとき、前記第２プレキャストコンクリート板の一端部が前記第１プレキャストコンクリート板の一端部から間隔を置かれるようにする。このため、前記第１プレキャストコンクリート板の前記一端部と前記第２プレキャストコンクリート板の前記一端部との間の間隔を予め決められた間隔に維持するためにスペーサを用いなければならず、該スペーサを用意するために多くの費用や手間を要し、不経済である。これに対して、段差付き床スラブ１０では、第２プレキャストコンクリート板１４を第１プレキャストコンクリート板１２に対して平行に配置するとき、第２プレキャストコンクリート板１４の一端部１６が第１プレキャストコンクリート板１２の一端部１８に接するようにする。このため、スペーサを用いることなく第２プレキャストコンクリート板１４の一端部１６を予め決められた高さに配置することができ、段差付き床スラブをより経済的に施工することができる。
【００３７】
従来の段差付き床スラブでは、段差付き床スラブの施工現場において、第１プレキャストコンクリート板の一端部上に、前記横断方向に間隔を置かれた、コンクリート層を補強するための複数のＬ字形鉄筋を配置する。このため、前記施工現場における前記Ｌ字形鉄筋の配置に多くの手間や時間を要する。これに対して、段差付き床スラブ１０では、第１プレキャストコンクリート板１２の一端部１８にＬ字形鉄筋２０が予め設けられているため、従来の段差付き床スラブのように施工現場でＬ字形鉄筋の配置に多くの手間や時間を要することはない。
【００３８】
図３に示す例では、第１プレキャストコンクリート板１２は、一端部１８から前記他端部にわたって一定の厚さを有する図１に示した例に代え、一端部１８の厚さが中央部６８及び前記他端部の厚さより厚い。この場合、段差寸法３８は、第１プレキャストコンクリート板１２の一端部１８の厚さ寸法と中央部６８及び前記他端部の厚さ寸法との差に、第２プレキャストコンクリート板１４の厚さ寸法を加えた長さ７０とほぼ等しい。第１プレキャストコンクリート板１２の一端部１８の厚さ寸法は任意に変更することができ、段差寸法３８は、第２プレキャストコンクリート板１４の厚さ寸法より大きい範囲において任意に変更することができる。
【００３９】
図示の例によれば、Ｌ字形鉄筋２０の横部分２２が第１プレキャストコンクリート板１２の一端部１８内に配置され、Ｌ字形鉄筋２０の縦部分２４が第２プレキャストコンクリート板１４の一端部１６を貫通し、かつ第２プレキャストコンクリート板１４の一端部１６の上方においてコンクリート層２８に固定されているため、第１プレキャストコンクリート板１２と第２プレキャストコンクリート板１４とはＬ字形鉄筋２０により互いに結合されており、第１プレキャストコンクリート板１２と第２プレキャストコンクリート板１４とは一体化している。このため、段差付き床スラブ１０が自重、載荷重等の荷重を受けたとき、段差付き床スラブ１０の段差３８が存在する段差部分において、第１プレキャストコンクリート板１２及び第２プレキャストコンクリート板１４が前記荷重に対して十分に抵抗する。このため、前記段差部分においてコンクリート層２８に配置される鉄筋の数を減らすことができ、該鉄筋のコンクリート層２８への配置に多くの手間や時間を要することはなく、段差付き床スラブ１０を効率的に施工することができる。
【図面の簡単な説明】
【００４０】
【図１】本発明に係る段差付き床スラブの段差部分の縦断面図。
【図２】図１の線２における段差付き床スラブの水平断面図。
【図３】本発明の他の実施例に係る段差付き床スラブの段差部分の縦断面図。
【符号の説明】
【００４１】
１０    段差付き床スラブ
１２    第１プレキャストコンクリート板
１４    第２プレキャストコンクリート板
１６、１８    一端部
２０    Ｌ字形鉄筋
２２    横部分
２４    縦部分
２６    貫通孔
２８    コンクリート層
４０    定着体
４２    板材
４８、５０    ＰＣ鋼材
【図１】
0004782760.tif 000002
【図２】
0004782760.tif 000003
【図３】
0004782760.tif 000004